(57)【要約】【課題】  複数箇所についての証明情報をまとめて１枚の証明書として発行できると共に、品質の高い証明書を発行することが可能な証明書発行システムを提供する。【解決手段】  申込者が、発行主体別に設けた申込受付サーバ２０ａに対して申込みを行うと、申込内容が証明書作成サーバ３０に送信される。すると、申込者ＩＤ生成部３１が申込者ＩＤを発行すると共に、証明書記載データ生成部３２が証明書記載データを生成し、申込者ＩＤと対応付けて証明書記載データ格納部３４に格納する。申込者が順次各発行主体が管理する申込受付サーバ２０に申込みを行うと、１つの申込者ＩＤに複数の発行主体についての証明書記載データが蓄積される。証明書発行データ生成部３３は所定の時期に申込者ＩＤ別の証明書記載データを抽出し、証明書発行部３７が証明書を発行する。【選択図】  図１
2005216204.tif 000002
【特許請求の範囲】
【請求項１】
申込者が利用する端末装置である申込者端末と、証明書の発行主体が直接又は間接的に管理するサーバコンピュータである複数の申込受付サーバと、証明書作成受託業者が直接又は間接的に管理するサーバコンピュータである証明書作成サーバにより構成されるシステムであって、
前記各申込受付サーバは、前記申込者端末からの申込内容に基づいて、当該申込みに関連して得られた情報を証明書作成サーバに送信する機能を有し、
前記証明書作成サーバは、前記申込受付サーバから受信した情報に申込者ＩＤが含まれていない場合に、当該受信した情報に基づいて申込者を特定するためのＩＤである申込者ＩＤを生成する申込者ＩＤ生成部と、前記申込受付サーバを管理する発行主体に基づいた情報を生成する証明書記載データ生成部と、前記生成された申込者ＩＤと前記証明書記載データを対応付けて記録する証明書データ格納部と、申込者の写真画像を記憶する画像格納部と、前記申込者ＩＤに基づいて対応する証明書記載データおよび画像データを抽出して印刷用にレイアウトされた証明書発行データを生成する証明書発行データ生成部と、前記生成された証明書発行データを所定の媒体に印刷することにより証明書を作成する証明書発行部を有することを特徴とする証明書発行システム。
【請求項２】
前記発行主体が学校であって、前記証明書は受験票であり、前記証明書記載データには前記申込者端末から申し込まれた各学校別の受験番号が含まれていることを特徴とする請求項１に記載の証明書発行システム。
【発明の詳細な説明】
【技術分野】
【０００１】
本発明は、受験票、クレジットカード、会員証等の顔写真入り身分証明書の発行を行うシステムに関する。
【背景技術】
【０００２】
従来より、受験票、クレジットカード、会員証等、身分証明を行うために、様々な証明書が発行されている。特に、受験票の発行技術として、複数の受験校の受験票を一括して発行する技術が開示されている（例えば、特許文献１参照）。
【特許文献１】特開２００２−１６９９００号公報
【０００３】
しかしながら、上記従来の手法では、受験者自身が所有するプリンターで受験票を発行するため、印字が不鮮明な証明書がプリントされる可能性がある等、品質がばらつく可能性がある。また、ＰＣに接続されたプリンターの性能に依存する受験票しか発行することができない。すなわち、磁気テープやＩＣチップ等が付いた証明書を発行することしかできない。また、１枚の受験票に１つの志望先の受験番号しかないため、複数の受験票が必要な学生（複数の学校を受験する場合）は複数の受験票を管理する必要がある。
【発明の開示】
【発明が解決しようとする課題】
【０００４】
上記のような点に鑑み、本発明は、複数箇所についての証明情報をまとめて１枚の証明書として発行することが可能であると共に、品質の高い証明書を発行することが可能な証明書発行システムを提供することを課題とする。
【課題を解決するための手段】
【０００５】
上記課題を解決するため、本発明では、証明書発行システムを、申込者が利用する端末装置である申込者端末と、証明書の発行主体が直接又は間接的に管理するサーバコンピュータである複数の申込受付サーバと、証明書作成受託業者が直接又は間接的に管理するサーバコンピュータである証明書作成サーバにより構成されるシステムであって、前記各申込受付サーバは、前記申込者端末からの申込内容に基づいて、当該申込みに関連して得られた情報を証明書作成サーバに送信する機能を有し、前記証明書作成サーバは、前記申込受付サーバから受信した情報に申込者ＩＤが含まれていない場合に、当該受信した情報に基づいて申込者を特定するためのＩＤである申込者ＩＤを生成する申込者ＩＤ生成部と、前記申込受付サーバを管理する発行主体に基づいた情報を生成する証明書記載データ生成部と、前記生成された申込者ＩＤと前記証明書記載データを対応付けて記録する証明書データ格納部と、申込者の写真画像を記憶する画像格納部と、前記申込者ＩＤに基づいて対応する証明書記載データおよび画像データを抽出して印刷用にレイアウトされた証明書発行データを生成する証明書発行データ生成部と、前記生成された証明書発行データを所定の媒体に印刷することにより証明書を作成する証明書発行部を有する構成としたことを特徴とする。
【発明の効果】
【０００６】
本発明によれば、申込者が、発行主体別に設けた申込受付サーバに対して申込みを行うと、申込内容が証明書作成サーバに送信され、申込者別に申込内容、個人情報等の情報を掲載した証明書を発行するようにしたので、複数の発行主体による証明書をまとめて１枚で発行することが可能となる。特に、媒体に必要な情報を印刷する発行部を証明書作成サーバ側に設けることにより精度および信頼性の高い証明書を発行することが可能となる。
【発明を実施するための最良の形態】
【０００７】
以下、本発明の好適な実施形態について、図面を参照して詳細に説明する。
（システム構成）
まず、本発明に係る証明書発行システムの全体構成について説明する。図１は、本発明に係る証明書発行システムの一実施形態を示す構成図である。図１において、１０は申込者端末、２０ａ、２０ｂは申込受付サーバ、３０は証明書作成サーバ、４０はネットワークである。申込者端末１０は、申込者が利用する端末装置であり、具体的には、パーソナルコンピュータ、携帯電話機、ＰＤＡ（情報携帯端末）等のインターネットアクセス機能を有する機器で実現される。申込受付サーバ２０ａ、２０ｂは、証明書の申込受付を行うサーバコンピュータであり、証明書の発行主体により直接的又は間接的に運営管理される。証明書の発行主体とは、例えば、受験票の発行であれば大学、高校等の学校、クレジットカードの発行であればクレジットカード会社を意味する。申込受付サーバ２０は、ＷＥＢサーバとしての機能も有しており、申込者端末１０においてＷＥＢブラウザを起動させることによりアクセス可能となっている。証明書作成サーバ３０は、実際に証明書の作成を行う機能を有するサーバコンピュータであり、申込者ＩＤ生成部３１、証明書記載データ生成部３２、証明書発行データ生成部３３、証明書記載データ格納部３４、画像格納部３５、画像スキャナ部３６、証明書発行部３７を有している。証明書作成サーバ３０は、通常、証明書の発行主体とは別の事業体が直接的又は間接的に運営管理している。なお、図１において、申込者端末１０は１台しか示していないが、ネットワーク４０上に多数接続されていることは当然である。また、申込受付サーバ２０についても２０ａと２０ｂの２台しか示していないが、実際には多数接続されている。
【０００８】
（処理動作）
次に、図１に示した証明書発行システムの処理動作について説明する。ここでは、申込者が複数の大学に受験の申込みを行う場合を例にとって説明する。そして、図１に示した申込受付サーバ２０ａはＡ大学により直接的又は間接的に運営管理され、申込受付サーバ２０ｂはＢ大学により直接的又は間接的に運営管理されているものとする。このような状態で、受験の申込みを行おうと考えた申込者は、申込者端末１０においてＷＥＢブラウザを起動し、インターネットを介してＡ大学のＷＥＢサイトにアクセスする。このＡ大学のＷＥＢサイトは、申込受付サーバ２０ａ上に開設されており、申込受付サーバ２０ａが有するＷＥＢサーバ機能により提供されている。続いて、申込者は、Ａ大学のＷＥＢサイト上で受験申込画面を提供するページに移動して、実際に受験申込みを行う。この受験申込みは、具体的には、申込者の住所・氏名・生年月日・性別・高校名等の個人情報および受験を希望する学部・学科等を入力することにより行われる。また、同時に顔写真の画像データも送信する。
【０００９】
申込受付サーバ２０ａでは、受信した申込者の個人情報、受験希望学部学科および画像データを証明書作成サーバ３０に送信する。この際、申込受付サーバ２０ａにおいて、個人情報および画像データを保存しておくようにしても良い。
【００１０】
証明書作成サーバ３０が、申込受付サーバ２０ａから申込者の個人情報、受験希望学部学科および画像データを受信したら、申込者ＩＤ生成部３１が、その個人に対して申込者ＩＤを生成する。これは、既に発行済みのＩＤに１を加えた番号を発行するようにすれば良い。これにより、申込者ＩＤは証明書作成サーバ３０による受付順に昇順の番号となる。続いて、証明書記載データ生成部３２が証明書に印字されるデータを生成する。証明書に印字されるデータとは、この場合、受験番号となる。すなわち、証明書記載データ生成部３２は、受信元の大学、受信した受験希望学部学科別に、既に発行済みの受験番号に１を加えた番号を発行する。これにより、受験番号は証明書作成サーバ３０による受付順に大学・学部・学科別に昇順の番号となる。受験番号が発行されたら、この受験番号と上記申込者ＩＤ、個人情報、大学・学部・学科を対応付けて証明書記載データ格納部３４に格納する。さらに、申込受付サーバ２０ａから受信した画像データを発行した申込者ＩＤと対応付けて画像格納部３５に記録する。なお、画像データが申込受付サーバ２０から得られない場合は、別途顔写真等を受け取り画像スキャナ部３６で読み取って画像データに変換し、画像格納部３５に記録することになる。
【００１１】
一方、申込者ＩＤ生成部３１により新たに申込者ＩＤが発行された場合は、証明書作成サーバ３０は、申込受付サーバ２０ａに、発行した申込者ＩＤを送信する。申込受付サーバ２０ａは、証明書作成サーバ３０から受信した申込者ＩＤを申込のあった申込者端末１０に送信する。これにより、申込者は、この証明書発行システムのサービス利用についての申込者ＩＤを知ることができる。
【００１２】
以上で、申込者が行った１つの大学についての申込処理が完了する。上記のようにＡ大学に受験の申込みをした申込者が、Ｂ大学にも申込む場合は、まず、上記Ａ大学に申込んだ場合と同様に、申込者端末１０においてＷＥＢブラウザを起動し、インターネットを介してＢ大学のＷＥＢサイトにアクセスする。このＢ大学のＷＥＢサイトは、申込受付サーバ２０ｂ上に開設されており、申込受付サーバ２０ｂが有するＷＥＢサーバ機能により提供されている。続いて、申込者は、ｂ大学のＷＥＢサイト上で受験申込画面を提供するページに移動して、実際に受験申込みを行う。証明書発行システムに参加している大学のＷＥＢサイトにおける受験申込画面には、申込者ＩＤの入力欄が設けられている。上記Ａ大学の受験申込画面においても、申込者ＩＤの入力欄は設けられているが、上記の例では、最初の申込みであったため、申込者は申込者ＩＤを有しておらず、そのため、個人情報等の入力を行ったのである。
【００１３】
既に申込者ＩＤを有している場合は、受験申込画面において、申込者ＩＤの入力欄に申込者ＩＤを入力する。これにより、申込者の住所・氏名・生年月日・性別・高校名等の個人情報を入力、および顔写真の画像データの送信を省略することが可能となる。ただし、受験を希望する学部・学科等は入力する必要がある。
【００１４】
申込受付サーバ２０ｂでは、受信した申込者ＩＤおよび受験希望学部学科を証明書作成サーバ３０に送信する。この際、申込受付サーバ２０ｂにおいて、申込者ＩＤを保存しておくようにしても良い。
【００１５】
証明書作成サーバ３０は、申込受付サーバ２０ｂから申込者ＩＤおよび受験希望学部学科を受信したら、申込者ＩＤが既に存在することを認識し、証明書記載データ生成部３２が証明書に印字されるデータを生成する。上記Ａ大学の場合と同様に、受信元の大学、受信した受験希望学部学科別に、既に発行済みの受験番号に１を加えた番号を発行する。すなわち、ここでは、Ｂ大学の学部・学科別に昇順の番号が発行されることになる。受験番号が発行されたら、受信した申込者ＩＤで証明書記載データ格納部３４を検索し、対応する申込者ＩＤのレコードに大学・学部・学科および受験番号の情報を追加記録する。
【００１６】
証明書発行データ生成部３３は、所定の時期がきたら、申込者ＩＤ別に、証明書記載データ格納部３４から証明書記載データを抽出すると共に、画像格納部３５から画像データを抽出し、証明書発行データを生成する。この証明書発行データとは、テキストデータである証明書記載データと、顔写真の画像データを所定のレイアウトに配置したデータである。続いて、証明書発行部３７が、証明書発行データ生成部３３から出力された証明書発行データを受け取って、証明書を作成する。この結果、図２に示すような証明書が得られる。
【００１７】
図２において、５０は証明書、５１はＩＣチップ、５２は顔写真画像、５３は証明書記載データである。本実施形態では、証明書５０のカード基材としてプラスチックを採用しており、ＩＣチップ５１を埋め込んでいる。ＩＣチップ５１には、申込者の個人情報、受験校・学部学科・受験番号その他必要に応じて各種データが記録可能となっている。顔写真画像５２は申込者の顔写真画像であり、画像格納部３５から抽出された画像データを印刷したものである。証明書記載データ５３は、目的とする証明内容を印刷したものであり、証明書記載データ格納部３４から抽出されたテキストデータに基づいて印刷したものである。図２に示すように、証明書記載データ５３には、２つの大学の受験学部学科、受験番号が印刷されているとともに、本人の氏名が印刷されている。
【００１８】
上記のようにして作成された証明書５０は、郵送等により申込者に送付される。郵送は、証明書記載データ格納部に記録された申込者の住所宛に行われる。この証明書５０を受け取った申込者は、その証明書５０を発行主体が発行した証明書として利用することができる。本実施形態の場合では、証明書５０を受験票として利用することとなる。すなわち、申込者は受験時に１つの証明書５０を異なる大学の受験時に持参して、本人であることを証明する受験票として利用することができる。
【００１９】
上記証明書５０は、証明書発行部３７として、ＩＣチップ埋め込み装置やカード発行機を採用することにより得られる。このような利点は、証明書発行部３７を証明書サーバ３０に接続して設けたことにより得られる。すなわち、一般家庭においてプリンタから出力したのでは、ＩＣチップを埋め込んだカード形式で作成するのは困難であり、作成できたとしても画像データの印刷等において精度が落ちることになる。なお、証明書５０としては、必ずしも上記のようなＩＣカード形式にする必要はなく、磁気テープを付加した磁気カードの形式としても良いし、カード基材そのものを紙媒体としても良い。カード基材を紙媒体とする場合は、証明書発行部３７としてカラープリンタやモノクロプリンタを用いることができる。
【００２０】
なお、上記実施形態では、証明書の一例として受験票を発行する場合について説明したが、受験票の代わりに、例えば、クレジットカード等を作成することもできる。この場合、申込受付サーバ２０は、各クレジットカード会社が運営管理することになる。
【図面の簡単な説明】
【００２１】
【図１】本発明に係る証明書発行システムの構成図である。
【図２】本証明書発行システムにより作成された証明書の平面図である。
【符号の説明】
【００２２】
１０・・・申込者端末
２０ａ、２０ｂ・・・申込受付サーバ
３０・・・証明書作成サーバ
３１・・・申込者ＩＤ生成部
３２・・・証明書記載データ生成部
３３・・・証明書発行データ生成部
３４・・・証明書記載データ格納部
３５・・・画像格納部
３６・・・画像スキャナ部
３７・・・証明書発行部
４０・・・ネットワーク
５０・・・証明書
５１・・・ＩＣチップ
５２・・・顔写真画像
５３・・・証明書記載データ
【図１】
2005216204.tif 000003
【図２】
2005216204.tif 000004